(57)【要約】【課題】籠やゴミ箱を上方から出し入れすることができる汎用性のあるチェア兼用ワゴンを提供すること。【解決手段】上蓋２がシートを兼用するチェア兼用ワゴン１であって、収納ボックス１４や籠などの物品を上方から収容可能なスペースＳを有するとともに、座るときには前記上蓋２が上方開口２１を覆う位置に移動され、前記物品１４を出し入れしたりするときには前記上蓋２が前記覆う位置から開く位置に移動されるよう構成されており、更に、前記覆う位置および開く位置において前記上蓋２を固定状態で停止させうる停止手段２８、２９を有する。【選択図】        図１
2004195133.tif 000002
【特許請求の範囲】
【請求項１】
上蓋がシートを兼用するチェア兼用ワゴンであって、収納ボックスや籠などの物品を上方から収容可能なスペースを有するとともに、座るときには前記上蓋が上方開口を覆う位置に移動され、前記物品を出し入れしたりするときには前記上蓋が前記覆う位置から開く位置に移動されるよう構成されており、更に、前記覆う位置および開く位置において前記上蓋を固定状態で停止させうる停止手段を有することを特徴とするチェア兼用ワゴン。
【発明の詳細な説明】
【０００１】
【発明の属する技術分野】
この発明は、チェア兼用ワゴンに関するものである。
【０００２】
【従来の技術】
従来、キッチンにおいて、野菜などを入れた籠やごみ箱を収容するスペースを有するとともに、このスペースの直上に設けた、椅子のシートに当たる部分を有し、前記シートに当たる部分に座ることができるワゴンが使用されている。
【０００３】
【発明が解決しようとする課題】
しかし、前記シートに当たる部分は固定されており、前記籠やゴミ箱を上方から出し入れすることはできず、また、側方から出し入れ可能となっているが、フレームが邪魔になって出し入れし難い上に、フレームにより出し入れできる籠やごみ箱の大きさが限られていた。
【０００４】
この発明は、上記問題に鑑みてなしたもので、籠やゴミ箱を上方から出し入れすることができる汎用性のあるチェア兼用ワゴンを提供することを目的としている。
【０００５】
【課題を解決するための手段】
上記目的を達成するために、この発明のチェア兼用ワゴンは、上蓋がシートを兼用するチェア兼用ワゴンであって、収納ボックスや籠などの物品を上方から収容可能なスペースを有するとともに、座るときには前記上蓋が上方開口を覆う位置に移動され、前記物品を出し入れしたりするときには前記上蓋が前記覆う位置から開く位置に移動されるよう構成されており、更に、前記覆う位置および開く位置において前記上蓋を固定状態で停止させうる停止手段を有することを特徴とする。
【０００６】
この発明において、収納ボックスや籠などの物品を出し入れしたりするときは、前記物品が収容されている前記スペースから前記上方開口を介して前記物品を取り出したり、前記スペース内へ前記上方開口を介して前記物品を収容したりすることは勿論のこと、例えば蓋付きごみ箱のごみ箱本体を前記スペースに収容した状態で、ごみ箱本体にごみを入れるために蓋だけを開けたり閉めたりする場合のように、物品の一部を出し入れする場合も含む。
【０００７】
【発明の実施の形態】
以下にこの発明のチェア兼用ワゴンを図面を参照しつつ詳細に説明する。図１〜図４は、この発明の一実施形態を示す。
【０００８】
図１〜図４において、１は、上蓋２がシートを兼用するチェア兼用ワゴンで、ワゴン本体３と前記上蓋２とより主としてなる。
【０００９】
前記ワゴン本体３は、背面側に位置し、前記ワゴン１が載置される床面に対して高さ方向に垂直に立設された逆Ｕ字形のフレーム垂直部材４と、正面側に位置し、床面に対して高さ方向に垂直に立設された逆Ｕ字形のフレーム垂直部材５と、前記フレーム垂直部材４，５同士を接続する左右一対のフレーム横部材６，６と、前記各フレーム横部材６，６の直上に位置するよう前記フレーム垂直部材４に取り付けられた一対のフレーム横部材７，７と、後述する複数の補強線材とから構成されている。前記フレーム垂直部材４，５同士は横方向（両矢印Ｙで示す方向）において対向配置されており、フレーム横部材６，６、７，７同士は高さ方向（両矢印Ｚで示す方向）において対向配置されている。
【００１０】
更に、背面側の前記フレーム垂直部材４は、パイプ状かつ正面視逆Ｕ字型で、左右に脚４ａ，４ａを有し、各脚４ａの下端にそれぞれローラ４ｂを有する状態で床面に対して垂直に立設されている。また、正面側の前記フレーム垂直部材５は、パイプ状かつ正面視逆Ｕ字型で、前記脚４ａ，４ａよりも低い高さの脚５ａ，５ａを左右に有し、各脚５ａの下端にそれぞれローラ５ｂを有する状態で床面に対して垂直に立設されている。また、前記各フレーム横部材６，６は、ストレート形状の角パイプで構成され、脚４ａの下部分およびＹ方向において対向している脚５ａ間に溶接により架設されている。また、前記フレーム横部材７，７は、ストレート形状の角パイプで構成され、フレーム横部材７，７の一端が脚４ａ，４ａの上部分に溶接によりＹ方向に向く状態で取り付けられている。
【００１１】
また、前記補強線材は、上下のフレーム横部材７，７およびフレーム横部材６，６のそれぞれフレーム垂直部材５に近接する部分間に溶接によりＺ方向に沿った状態で架設されているストレート形状の補強線材９，９と、補強線材９，９の上部分間に溶接により縦方向（両矢印Ｘで示す方向）に沿った状態で架設されており、ストレート形状の中間部分を有するとともに、Ｙ方向外向きにストレートに若干の長さ突出した両端部分を有する平面視コ字型形状の一本の補強線材８と、前記補強線材９，９の上部分で補強線材８よりは低い位置から脚４ａ，４ａに向かって溶接によりＹ方向に沿った状態で架設されているほぼストレート形状の補強線材１０，１０と、一方の脚４ａと他方の脚４ａのほぼ中央部分間に溶接によりＸ方向に沿った状態で架設されているほぼストレート形状の一本の補強線材１１と、対向するフレーム横部材６，６間に溶接によりＸ方向に沿った状態で前後に架設されているそれぞれ一本のストレート形状の補強線材１２，１３とで構成される。
【００１２】
前記部材４，５は断面円形である。また、前記部材６，６、７，７は断面矩形である。そして、前記部材６，６、７，７の断面積は前記部材４，５の断面積よりも若干大きく設定されている。前記補強線材９は前記部材４，５よりは若干小径のパイプで構成される。また、前記補強線材８，１０，１０，１１，１２，１３は前記補強線材９よりは若干小径のパイプで構成される。
【００１３】
そして、前記部材４，５、部材６，６、７，７および補強線材，８，９，１０，１０，１１，１２，１３は例えば鋼管が用いられている。
【００１４】
以下特徴的構成について説明する。
【００１５】
１４は、蓋付きごみ箱（収納ボックス）で、高さ方向に長い箱状の有底のごみ箱本体１５と、このごみ箱本体１５の上方開口Ｐを覆う蓋１６よりなる。
【００１６】
この実施形態では同一形状の一対のごみ箱１４，１４を上方から収容可能なスペースＳが、前記ワゴン本体３に形成されている。また、ごみ箱１４の長手方向がフレーム横部材６，６、７，７の取り付け方向（Ｙ方向）に沿う状態で一対のごみ箱１４，１４が収容可能なように前記スペースＳのＸ方向およびＹ方向の大きさがごみ箱１４，１４の大きさに応じて適宜設定される。
【００１７】
フレーム横部材７，７の脚４ａ，４ａへの取り付け位置は、フレーム垂直部材４の脚４ａ，４ａをつなぐＸ方向に沿った把手部分４ｃの高さ位置よりも長さＨだけ低い位置に設定されている。すなわち、フレーム横部材７，７の床面からの高さは、上蓋２がチェアのシートとして使用できる高さに設定されている。
【００１８】
そして、ワゴン本体３は、把手部分４ｃの高さ位置よりも長さＨだけ低い位置に上方開口２１を有し、この上方開口２１を介して収容される各ごみ箱１４は、ごみ箱底部に補強線材１２，１３が当接することによってワゴン本体３内に載置（収容）される構成となっている。前記上方開口２１は平面視矩形形状である。
【００１９】
また、ごみ箱１４，１４をスペースＳに収容した状態では、図４に示すように、フレーム横部材７の下面ａの高さ位置とほぼ同じ高さ位置にごみ箱１４の蓋１６の上面ｂがくるよう、ごみ箱１４の高さと、フレーム横部材７，７および補強線材１２，１３（フレーム横部材６，６）間の距離がごみ箱１４，１４の大きさに応じて適宜設定される。また、補強線材８とこれより低い高さ位置にある補強線材１１は、ごみ箱１４，１４をスペースＳに収容した状態で、ごみ箱本体１５の側面Ｅに当たる位置に設けられている。また、補強線材１０，１０も、ごみ箱１４，１４をスペースＳに収容した状態で、ごみ箱本体１５の側面Ｅに当たる位置に設けられている。
【００２０】
更に、ごみ箱１４，１４をスペースＳに収容した状態で、ごみ箱１４，１４が静止位置よりも左右（Ｘ方向）前後（Ｙ方向）に移動してスペースＳ内でがたつかないようごみ箱本体１５の側面Ｅの当たり止めが補強線材１０，１０と補強線材１１に施されている。すなわち、補強線材１０，１０は、側面Ｅにできるだけ近接するようスペースＳの側（Ｘ方向における内側）に所定長さＬだけ凹んだ凹み部分１０ａを長手方向（Ｙ方向）に長さｄの範囲で中央部に有する。また、補強線材１１は、側面Ｅにできるだけ近接するようスペースＳの側（Ｙ方向における内側）に所定長さＬだけ凹んだ凹み部分１１ａを長手方向（Ｘ方向）に長さＤの範囲で中央部に有する。前記凹み部分１０ａの長さｄ、凹み部分１１ａの長さＤはごみ箱１４，１４の大きさに応じて適宜設定される。
【００２１】
そして、前記ワゴン１の移動時などに前記ワゴン１が揺れたりしても、Ｘ方向においては、対向する凹み部分１０ａおよび１０ａが当たり止めとして作用し、凹み部分１０ａおよび１０ａにごみ箱本体１５の側面Ｅおよびもう一つのごみ箱本体１５の側面Ｅがそれぞれ近い距離で当接することにより、また、Ｙ方向においては、凹み部分１１ａおよび補強線材８が当たり止めとして作用し、凹み部分１１ａおよび補強線材８に二つのごみ箱本体１５，１５の一方の側面Ｅ，Ｅおよび他方の側面Ｅ，Ｅがそれぞれ近い距離で当接することにより、移動中にごみ箱１４，１４のスペースＳ内でのがたつきを極力防止でき、それによる騒音を低減でき、使い勝手を向上できる。
【００２２】
以下、上蓋２の構成と、座るときには上蓋２が上方開口２１を覆う位置に移動され、蓋１６だけやごみ箱１４を出し入れするときには上蓋２が前記覆う位置から開く位置に移動される構成について説明する。
【００２３】
前記上蓋２は、ワゴン本体３に形成された平面視矩形形状の前記上方開口２１を覆うことができるよう平面視矩形形状の板体で構成されている。この板体の材料は木材や合成樹脂など軽量で剛性を有するものであればよく、また、クッション付きのものも採用できる。上蓋２は、シートを兼用するものであって、座るときには上蓋２が上方開口２１を覆う位置に移動され、一方、例えばごみ箱１４，１４に溜まったごみを捨てるためにごみ箱１４，１４自体をスペースＳ内から取り出したり、空のごみ箱１４，１４をスペースＳ内へ入れたり、あるいは、ごみ箱本体１５，１５をスペースＳ内に残したままで、ごみをごみ箱本体１５，１５に入れるためにごみ箱本体１５，１５から外した蓋１６，１６だけを取り出すときなどには前記上蓋２が前記覆う位置から開く位置に移動されるよう構成されている。
前記上蓋２は、上面ｅに把持部３０を有するとともに、下面ｆに左右一対のローラ３１，３１を有する。把持部３０は、後端の中央部に左右方向（Ｘ方向）に長い凹所で構成されており、また、ローラ３１は、前端の左右の位置に設けられている。
【００２４】
更に、ローラ３１は、下面ｆにビス等の固定手段で固定された取付金具３２に回動可能に取り付けられている。例えば、ローラ３１は、中央から連設された回転軸部３３を有する一方、取付金具３２は、回転軸部挿通用の孔３４が形成された垂下片３５を最下位に有し、この垂下片３５は、前記孔３４に連通する筒状の軸受け部分３６を外面側に有する。そして、取付金具３２の外側から回転軸部３３を前記軸受け部分３６および孔３４に挿通し、前記孔３４から内側に突出した回転軸部３３の先端部分にワッシャ（図示せず）をはめ込み、その上からＥリング（図示せず）を回転軸部３３に取り付けることでローラ３１を取付金具３２に回動可能に取り付けることができる。このように、ローラ３１は、取付金具３２の外側に設けられる。
【００２５】
なお、ローラ３１の取付金具３２への取り付け機構はこれに限らず、例えば、垂下片３５にピン孔を設け、先端部分に雌ねじが形成されているピンを内側からピン孔を介して軸受け部分３６に挿通し、軸受け部分３６から外側に突出したピンの先端部分からローラ３１を挿通し、続いて、先端部分に外側からワッシャをはめ込み、更に、先端部分にナットを締付けることにより、ローラ３１を取付金具３２に回動可能に取り付けることもできる。
【００２６】
２２，２２は、各フレーム横部材７，７の内側に溶接によってＹ方向に沿った状態で取り付けられた鋼製のガイドレールである。ガイドレール２２は、断面コ字型形状をなし、平坦な薄板状の上面部２３と、平坦な薄板状の下面部２４と、上面部２３の外端と下面部２４の外端をつなぐ平坦な薄板状の垂下面部２５より構成される。ローラ３１は下面部２４上をＹ方向に移動するとともに、取付金具３２は下面部２４の内端面Ｋより更に内側に位置する状態でローラ３１と共にＹ方向に移動するよう構成されている。
なお、上面部２３および下面部２４間の幅Ｗよりローラ３１の径は小さく設定される。また、取付金具３２の垂下片３５の大きさは適宜設定される。
【００２７】
更に、下面部２４は、前端部分と後端部分にビス孔２６，２６を有し、前端部分のビス孔２６に螺合により締付けて取り付けられたビス２７を有するとともに、後端部分のビス孔２６に螺合により締付けて取り付けられたビス２８を有する。これらビス２７，２８は、ローラ３１のストッパとして機能する。
【００２８】
また、下面部２４は、ビス２７の取り付け位置（前端部分のビス孔２６）の近傍で、この取り付け位置より後ろ側にローラ３１が嵌まり込む切欠２９を有する。そして、上蓋２が上方開口２１を覆う位置において上蓋２を固定状態で停止させうる停止手段が、ビス２７と切欠２９とで構成される。また、上蓋２が上方開口２１を開く位置において上蓋２を固定状態で停止させうる停止手段が、ビス２８で構成される。なお、ローラ３１をガイドレール２２に取り付けるときは、ビス２７を取り外す簡単な作業で済む。また、ビス２８の代わりにガイドレール２２の端部を折曲してローラ３１のストッパとしてもよい。
【００２９】
一方、上面部２３は、上蓋２の下面ｆのＹ方向に沿う両端部分に対応する位置に上蓋２を保持する複数の保持部４０を有し、各保持部４０の取り付け位置に対応する位置にビス孔を有する。保持部４０は、上蓋２が上方開口２１を覆う位置に移動されたときに上蓋２の下面ｆに当接する。
【００３０】
保持部４０は、臼状で、ビス挿通孔および凹み部分を下から順で中央に有するゴム体４１と、ビス孔を介して前記ビス挿通孔に下側から挿通されるビスと、前記凹み部分に位置する前記ビスの先端部分に螺合するボルト４２とより構成される。人が座るときにはゴム体４１の上面４１ａが上蓋２の下面ｆに当接するよう、前記ビスの先端面４２が上面４１ａよりも低く位置するのが好ましく、これにより、シートとしてのクッション性が発揮されうる。
【００３１】
そして、上蓋２をスムースに移動するためにローラ３１の回転軸部３３が支点となるよう把持部３０を少し持ち上げながら上蓋２が上方開口２１を開く位置に移動されたときは以下のようになる。すなわち、ガイドレール２２の下面部２４上を前端側から後端側に移動するローラ３１がビス２８に当たる。これにより、ローラ３１がこれ以上行き過ぎることがないようローラ３１の移動が規制されるとともに、この状態で取付金具３２が回転軸部３３まわりに回動し、上蓋２は、ローラ３１がビス２８と下面部２４とに吊下げられる図３に実線で示すような吊下げ状態になる。
【００３２】
すなわち、取付金具３２は、ローラ３１が下面部２４上をＹ方向に移動しているときの水平位置から、取付金具３２の後部分３２ｂが取付金具３２の前部分３２ａよりも下にくる垂直位置に変位する。上述したように取付金具３２は下面部２４の内端面Ｋより更に内側に位置することから、前記水平位置から垂直位置への変位は可能である。このとき、ローラ３１のの回転軸部３３まわりを９０°回転した取付金具３２の前部分３２ａの端面部分がガイドレール２２の上面部２３の内縁部分２３ｂに当たることなく取付金具３２がスムースに回動できるように、上面部２３は、後端部に切欠２ａを有する。すなわち、取付金具３２の回動時において取付金具３２の前部分３２ａの端面部分は前記切欠２ａを通るように構成することで、上蓋２をスムースに開く位置に移動できる。反対に、垂直位置から水平位置に変位させる場合も同様で、上方開口２１を覆う位置に上蓋２をスムースに移動できる。
【００３３】また、補強線材１１は、上蓋２の当たり止めとして機能するよう脚４ａおよび脚４ａ間に取り付けられている。これにより、上蓋２が上方開口２１を開く位置に移動されて上蓋２が吊下げ状態になったときに上蓋２の下面ｆが上蓋２の自重で補強線材１１に当たり続けることになり、これにより、上方開口２１を開いた状態で前記ワゴン１を移動させても、吊下げられている上蓋２が回転軸部３３まわりに揺れたりすることを防止できる。
【００３４】
而して、座るときには上蓋２が下面部２４上を、上方開口２１を覆う位置にまで移動される。このとき、ローラ３１はビス２７の手前に設けた切欠２９を介してビス２７に当たってローラ３１がこれ以上行き過ぎることがないようローラ３１の移動が規制されるとともに、ローラ３１のほぼ下半分が切欠２９に嵌まり込み上蓋２はワゴン本体３上に固定される。
【００３５】
一方、ごみ箱１４，１４に溜まったごみを捨てるためにごみ箱１４，１４自体をスペースＳ内から取り出したり、空のごみ箱１４，１４をスペースＳ内へ入れたり、あるいは、ごみ箱本体１５，１５をスペースＳ内に残したままで、ごみをごみ箱本体１５，１５に入れるためにごみ箱本体１５，１５から外した蓋１６，１６だけを取り出すときなどは前記上蓋２が上方開口２１を覆う位置から開く位置に移動される。このとき、上蓋２は、ローラ３１がビス２８と下面部２４とに吊下げられるとともに、上蓋２の下面ｆが上蓋２の自重で当たり続ける吊下げ状態になる。
【００３６】
また、ワゴン１の移動時などでは、ワゴン１が揺れたりしても、凹み部分１０ａおよび１０ａが当たり止めとして作用し、また、凹み部分１１ａおよび補強線材８が当たり止めとして作用して移動中にごみ箱１４，１４のスペースＳ内でのがたつきを極力防止できる。
【００３７】
なお、ガイドレール２２の上面部２３に上蓋２を保持する複数の保持部４０を設けたものを示したが、上蓋２の下面ｆに保持部４０に相当するものを設け、ガイドレール２２の上面部２３に当接させるように構成してもよい。
【００３８】
【発明の効果】
以上説明したようにこの発明によれば、籠やゴミ箱を上方から出し入れすることができる汎用性のあるチェア兼用ワゴンを提供することができる効果がある。
【図面の簡単な説明】
【図１】この発明の一実施形態における使用状態を示す分解斜視図である。
【図２】上記実施形態における要部分解斜視図である。
【図３】上記実施形態において、上方開口を開く位置の上蓋と上方開口を覆う位置の上蓋を示す構成説明図である。
【図４】上記実施形態において、上方開口を覆う位置の上蓋を示す構成説明図である。
【符号の説明】
１…チェア兼用ワゴン、２…上蓋、１４…収納ボックス、２１…上方開口、２７，２８…ビス、２９…切欠、Ｓ…スペース。
【図１】
2004195133.tif 000003
【図２】
2004195133.tif 000004
【図３】
2004195133.tif 000005
【図４】
2004195133.tif 000006